【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザーの現在位置に関する座標データと」に基づいて、互いにもし自己の近くに居れば出会い等を希望する他のユーザーが居るときは、その他のユーザーの存在などを、前記各ユーザー又は前記或るユーザーＡに知らせる告知手段と、
を備えた、ことを特徴とする、出会い・交流・連絡または交信の支援のための装置。
【請求項２】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「『或るユーザーＡ又は各ユーザーの、もし自己の近くに居れば出会い等を希望する他のユーザーの識別データまたは属性データ』と、各ユーザーの現在位置に関する座標データと、」に基づいて、
複数の他のユーザー（複数の、前記或るユーザーＡ以外のユーザー）又は複数のユーザーの中から、
「『前記或るユーザーＡの、もし自己の近くに居れば出会い等を希望する他のユーザーの識別データまたは属性データ』に対応している、一人または複数の他のユーザーＢ」又は「互いに相手が『もし自己の近くに居れば出会い等を希望する他のユーザーの識別データまたは属性データ』に対応している、複数のユーザー」を、
抽出または選択する抽出等手段と、
を備えたことを特徴とする、出会い・交流・連絡または交信の支援のための装置。
【請求項３】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
或るユーザーＡ側から又は各ユーザー側からの、「自己が出会い、交流、連絡または交信をしたいと希望する他のユーザー」に関する検索条件であって、少なくとも「前記或るユーザーＡ又は各ユーザーがもし自己の近くに居れば自己が出会い、交流、連絡または交信をしたいと希望する他のユーザーの識別データまたは属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力または送信する検索条件取得等手段と、
少なくとも「或るユーザーＡ側又は各ユーザー側からの前記検索条件と、各ユーザーの識別データまたは属性データと、各ユーザーの現在位置に関する座標データと」に基づいて、複数の他のユーザー（複数の、前記或るユーザーＡ以外のユーザー）又は複数のユーザーの中から、「前記或るユーザーＡの検索条件を満たす一人または複数の他のユーザーＢ」又は「互いに相手が自らの前記検索条件を満たす複数のユーザー」を、抽出または検索する抽出等手段と、
備えた、ことを特徴とする、出会い・交流・連絡または交信の支援のための装置。
【請求項４】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザーの又は或るユーザーＡの『もし自己の近くに居れば出会い等を希望する他のユーザーの識別データまたは属性データ』と、各ユーザーの現在位置に関する座標データと」に基づいて、
複数のユーザー又は複数の他のユーザー（複数の、前記或るユーザーＡ以外のユーザー）の中から、
「相手が『もし自己の近くに居れば出会い等を希望する他のユーザーの識別データまたは属性データ』に対応している、複数のユーザー」又は「『前記或るユーザーＡの、もし自己の近くに居れば出会い等を希望する他のユーザーの識別データまたは属性データ』に対応している、一人又は複数の他のユーザーＢ」を、
抽出または選択する抽出等手段と、
を備えたことを特徴とする、出会い・交流・連絡または交信の支援のための装置。
【請求項５】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれが所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザー又は或るユーザーＡが所属しているグループ識別データと、各ユーザーの現在位置に関する座標データと」に基づいて、
複数のユーザー又は複数の他のユーザー（複数の、前記或るユーザーＡ以外のユーザー）の中から、
「互いが同一のグループ識別データに対応するグループに所属しており、且つ、互いに相手が自己の現在位置から近くに居る、複数のユーザー」又は「前記或るユーザーＡが所属しているのと同一のグループ識別データに対応するグループに所属しており、且つ、前記或るユーザーＡの現在位置から近くに居る、一人または複数の他のユーザーＢ」を、
抽出または選択する抽出等手段と、
を備えたことを特徴とする、出会い・交流・連絡または交信の支援のための装置。
【請求項６】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
複数の各ユーザーの又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」」を含む検索条件を、取得、受信、入力または送信する検索条件取得等手段と、
少なくとも「各ユーザー側から又は或るユーザーＡ側からの前記検索条件と、各ユーザーの識別データまたは属性データと、各ユーザーの現在位置に関する座標データと」に基づいて、複数のユーザー又は複数の他のユーザー（複数の、前記或るユーザーＡ以外のユーザー）の中から、「互いに相手が自らの前記検索条件を満たす複数のユーザー」又は「前記或るユーザーＡの検索条件を満たす一人または複数の他のユーザーＢ」を、抽出または検索する抽出等手段と、
備えた、ことを特徴とする、出会い・交流・連絡または交信の支援のための装置。
【請求項７】
複数のユーザーのそれぞれの識別データまたは属性データを記録しておくためのユーザーデータ記録手段と、
複数のユーザーに関して、それぞれ、「もし自己の近くに居れば自己が出会い、交流、連絡または交信をしたいと希望する一人または複数の他のユーザー」の識別データまたは属性データを、各ユーザーの識別データと対応付けて、入力する、送信する、受信する、または記録しておくための希望他人データ記録手段（前記「自己が出会い等を希望する他のユーザーの属性データ」は、「前記ユーザー自身（自己）の属性データ」によって兼ねられるものであってもよい。また、前記「他のユーザーの識別データまたは属性データ」を記録しておくための手段は、前記ユーザーデータ記録手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザー又は或るユーザーＡがもし自己の近くに居れば出会い等を希望する『他のユーザー』の識別データまたは属性データと、各ユーザーの現在位置に関する座標データと」に基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データまたは属性データ』に対応しており、且つ、互いに相手が自己の現在位置から近くに居る、複数のユーザー」又は「前記或るユーザーＡがもし自己の近くに居れば出会い等を希望する他のユーザーの識別データまたは属性データに対応しており、且つ、前記或るユーザーＡの現在位置から近くに居る、一人または複数の他のユーザーＢ」を、
抽出または検索する抽出等手段と、
を備えた、ことを特徴とする、出会い・交流・連絡または交信の支援のための装置。
【請求項８】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の、及び、『もし自己の近くに居れば自己が出会い、交流、連絡または交信をしたいと希望する一人または複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は、予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データまたは属性データと、各ユーザーの現在位置に関する座標データと」に基づいて、
「『或るユーザーＡがもし自己の近くに居れば出会い等を希望する他のユーザーの識別データまたは属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人または複数の他のユーザーＢ１’」を、
又は、「互いに相手が『もし自己の近くに居れば出会い等を希望する他のユーザーの識別データまたは属性データ』に対応しており、且つ、互いに『近く』に居る（ここでの『近く』とは、前記「無線基地局の圏内」よりも狭い範囲を示す近く、若しくは、前記複数のユーザーＢ２を予め抽出したときの「近く」よりも狭い範囲を示す近く、を意味する）、複数のユーザーＢ２’」を、
抽出または選択する抽出等手段と、
を備えたことを特徴とする、出会い・交流・連絡または交信の支援のための装置。
【請求項９】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ（自己）が所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または選択する抽出等手段と、
を備えたことを特徴とする、出会い・交流・連絡または交信の支援のための装置。
【請求項１０】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
各ユーザー又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力または送信する検索条件取得等手段と、
予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データまたは属性データと、各ユーザーの現在位置に関する座標データと、各ユーザー又は或るユーザーＡの前記検索条件と」に基づいて、
「互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「前記或るユーザーＡの検索条件を満たしており、且つ、前記或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または検索する抽出等手段と、
備えた、ことを特徴とする、出会い・交流・連絡または交信の支援のための装置。
【請求項１１】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザー又は前記或るユーザーＡの『もし自己の近くに居れば出会い等を希望する他のユーザー』の識別データまたは属性データと、各ユーザーの現在位置に関する座標データと」に基づいて、
「互いに相手の『もし自己の近くに居れば出会い等を希望する他のユーザーの識別データまたは属性データ』に対応しており、且つ、互いに『近く』に居る（ここでの『近く』とは、前記「無線基地局の圏内」よりも狭い範囲を示す近く、若しくは、前記複数のユーザーＡ１を予め抽出したときの「近く」よりも狭い範囲を示す近く、を意味する）、複数のユーザーＡ１’」を、
又は、「前記或るユーザーＡの『もし自己の近くに居れば出会い等を希望する他のユーザーの識別データまたは属性データ』に対応しており、且つ、前記或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または検索する抽出等手段と、
を備えた、ことを特徴とする、出会い・交流・連絡または交信の支援のための装置。
【請求項１２】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「『或るユーザーＡ又は各ユーザーの、もし自己の近くに居れば出会い等を希望する他のユーザーの識別データまたは属性データ』と、各ユーザーの現在位置に関する座標データと、」に基づいて、
複数の他のユーザー（複数の、前記或るユーザーＡ以外のユーザー）又は複数のユーザーの中から、
「『前記或るユーザーＡの、もし自己の近くに居れば出会い等を希望する他のユーザーの識別データまたは属性データ』に対応している、一人または複数の他のユーザーＢ」又は「互いに相手が『もし自己の近くに居れば出会い等を希望する他のユーザーの識別データまたは属性データ』に対応している、複数のユーザー」を、
抽出または選択する抽出等手段と、
を備えたことを特徴とする、出会い・交流・連絡または交信の支援のための装置。
【請求項１３】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
或るユーザーＡ側から又は各ユーザー側からの、「自己が出会い、交流、連絡または交信をしたいと希望する他のユーザー」に関する検索条件であって、少なくとも「前記或るユーザーＡ又は各ユーザーがもし自己の近くに居れば自己が出会い、交流、連絡または交信をしたいと希望する他のユーザーの識別データまたは属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力または送信する検索条件取得等手段と、
少なくとも「或るユーザーＡ側又は各ユーザー側からの前記検索条件と、各ユーザーの識別データまたは属性データと、各ユーザーの現在位置に関する座標データと」に基づいて、複数の他のユーザー（複数の、前記或るユーザーＡ以外のユーザー）又は複数のユーザーの中から、「前記或るユーザーＡの検索条件を満たす一人または複数の他のユーザーＢ」又は「互いに相手が自らの前記検索条件を満たす複数のユーザー」を、抽出または検索する抽出等手段と、
備えた、ことを特徴とする、出会い・交流・連絡または交信の支援のための装置。
【請求項１４】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザーの又は或るユーザーＡの『もし自己の近くに居れば出会い等を希望する他のユーザーの識別データまたは属性データ』と、各ユーザーの現在位置に関する座標データと」に基づいて、
複数のユーザー又は複数の他のユーザー（複数の、前記或るユーザーＡ以外のユーザー）の中から、
「相手が『もし自己の近くに居れば出会い等を希望する他のユーザーの識別データまたは属性データ』に対応している、複数のユーザー」又は「『前記或るユーザーＡの、もし自己の近くに居れば出会い等を希望する他のユーザーの識別データまたは属性データ』に対応している、一人又は複数の他のユーザーＢ」を、
抽出または選択する抽出等手段と、
を備えたことを特徴とする、出会い・交流・連絡または交信の支援のための装置。
【請求項１５】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれが所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザー又は或るユーザーＡが所属しているグループ識別データと、各ユーザーの現在位置に関する座標データと」に基づいて、
複数のユーザー又は複数の他のユーザー（複数の、前記或るユーザーＡ以外のユーザー）の中から、
「互いが同一のグループ識別データに対応するグループに所属しており、且つ、互いに相手が自己の現在位置から近くに居る、複数のユーザー」又は「前記或るユーザーＡが所属しているのと同一のグループ識別データに対応するグループに所属しており、且つ、前記或るユーザーＡの現在位置から近くに居る、一人または複数の他のユーザーＢ」を、
抽出または選択する抽出等手段と、
を備えたことを特徴とする、出会い・交流・連絡または交信の支援のための装置。
【請求項１６】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
複数の各ユーザーの又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」」を含む検索条件を、取得、受信、入力または送信する検索条件取得等手段と、
少なくとも「各ユーザー側から又は或るユーザーＡ側からの前記検索条件と、各ユーザーの識別データまたは属性データと、各ユーザーの現在位置に関する座標データと」に基づいて、複数のユーザー又は複数の他のユーザー（複数の、前記或るユーザーＡ以外のユーザー）の中から、「互いに相手が自らの前記検索条件を満たす複数のユーザー」又は「前記或るユーザーＡの検索条件を満たす一人または複数の他のユーザーＢ」を、抽出または検索する抽出等手段と、
備えた、ことを特徴とする、出会い・交流・連絡または交信の支援のための装置。
【請求項１７】
複数のユーザーのそれぞれの識別データまたは属性データを記録しておくためのユーザーデータ記録手段と、
複数のユーザーに関して、それぞれ、「もし自己の近くに居れば自己が出会い、交流、連絡または交信をしたいと希望する一人または複数の他のユーザー」の識別データまたは属性データを、各ユーザーの識別データと対応付けて、入力する、送信する、受信する、または記録しておくための希望他人データ記録手段（前記「自己が出会い等を希望する他のユーザーの属性データ」は、「前記ユーザー自身（自己）の属性データ」によって兼ねられるものであってもよい。また、前記「他のユーザーの識別データまたは属性データ」を記録しておくための手段は、前記ユーザーデータ記録手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザー又は或るユーザーＡがもし自己の近くに居れば出会い等を希望する『他のユーザー』の識別データまたは属性データと、各ユーザーの現在位置に関する座標データと」に基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データまたは属性データ』に対応しており、且つ、互いに相手が自己の現在位置から近くに居る、複数のユーザー」又は「前記或るユーザーＡがもし自己の近くに居れば出会い等を希望する他のユーザーの識別データまたは属性データに対応しており、且つ、前記或るユーザーＡの現在位置から近くに居る、一人または複数の他のユーザーＢ」を、
抽出または検索する抽出等手段と、
を備えた、ことを特徴とする、出会い・交流・連絡または交信の支援のための装置。
【請求項１８】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の、及び、『もし自己の近くに居れば自己が出会い、交流、連絡または交信をしたいと希望する一人または複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は、予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データまたは属性データと、各ユーザーの現在位置に関する座標データと」に基づいて、
「『或るユーザーＡがもし自己の近くに居れば出会い等を希望する他のユーザーの識別データまたは属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人または複数の他のユーザーＢ１’」を、
又は、「互いに相手が『もし自己の近くに居れば出会い等を希望する他のユーザーの識別データまたは属性データ』に対応しており、且つ、互いに『近く』に居る（ここでの『近く』とは、前記「無線基地局の圏内」よりも狭い範囲を示す近く、若しくは、前記複数のユーザーＢ２を予め抽出したときの「近く」よりも狭い範囲を示す近く、を意味する）、複数のユーザーＢ２’」を、
抽出または選択する抽出等手段と、
を備えたことを特徴とする、出会い・交流・連絡または交信の支援のための装置。
【請求項１９】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ（自己）が所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または選択する抽出等手段と、
を備えたことを特徴とする、出会い・交流・連絡または交信の支援のための装置。
【請求項２０】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
各ユーザー又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力または送信する検索条件取得等手段と、
予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データまたは属性データと、各ユーザーの現在位置に関する座標データと、各ユーザー又は或るユーザーＡの前記検索条件と」に基づいて、
「互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「前記或るユーザーＡの検索条件を満たしており、且つ、前記或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または検索する抽出等手段と、
備えた、ことを特徴とする、出会い・交流・連絡または交信の支援のための装置。
【請求項２１】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザー又は前記或るユーザーＡの『もし自己の近くに居れば出会い等を希望する他のユーザー』の識別データまたは属性データと、各ユーザーの現在位置に関する座標データと」に基づいて、
「互いに相手の『もし自己の近くに居れば出会い等を希望する他のユーザーの識別データまたは属性データ』に対応しており、且つ、互いに『近く』に居る（ここでの『近く』とは、前記「無線基地局の圏内」よりも狭い範囲を示す近く、若しくは、前記複数のユーザーＡ１を予め抽出したときの「近く」よりも狭い範囲を示す近く、を意味する）、複数のユーザーＡ１’」を、
又は、「前記或るユーザーＡの『もし自己の近くに居れば出会い等を希望する他のユーザーの識別データまたは属性データ』に対応しており、且つ、前記或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または検索する抽出等手段と、
を備えた、ことを特徴とする、出会い・交流・連絡または交信の支援のための装置。
【請求項２２】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「『或るユーザーＡ又は各ユーザーの、もし自己の近くに居れば出会い等を希望する他のユーザーの識別データまたは属性データ』と、各ユーザーの現在位置に関する座標データと、」に基づいて、
複数の他のユーザー（複数の、前記或るユーザーＡ以外のユーザー）又は複数のユーザーの中から、
「『前記或るユーザーＡの、もし自己の近くに居れば出会い等を希望する他のユーザーの識別データまたは属性データ』に対応している、一人または複数の他のユーザーＢ」又は「互いに相手が『もし自己の近くに居れば出会い等を希望する他のユーザーの識別データまたは属性データ』に対応している、複数のユーザー」を、
抽出または選択する抽出等手段と、
を備えたことを特徴とする、出会い・交流・連絡または交信の支援のための装置。
【請求項２３】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
或るユーザーＡ側から又は各ユーザー側からの、「自己が出会い、交流、連絡または交信をしたいと希望する他のユーザー」に関する検索条件であって、少なくとも「前記或るユーザーＡ又は各ユーザーがもし自己の近くに居れば自己が出会い、交流、連絡または交信をしたいと希望する他のユーザーの識別データまたは属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力または送信する検索条件取得等手段と、
少なくとも「或るユーザーＡ側又は各ユーザー側からの前記検索条件と、各ユーザーの識別データまたは属性データと、各ユーザーの現在位置に関する座標データと」に基づいて、複数の他のユーザー（複数の、前記或るユーザーＡ以外のユーザー）又は複数のユーザーの中から、「前記或るユーザーＡの検索条件を満たす一人または複数の他のユーザーＢ」又は「互いに相手が自らの前記検索条件を満たす複数のユーザー」を、抽出または検索する抽出等手段と、
備えた、ことを特徴とする、出会い・交流・連絡または交信の支援のための装置。
【請求項２４】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の属性データ、及び、『もし自己の近くに居れば自己が出会い、交流、連絡または交信をしたいと希望する一人または複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザーの又は或るユーザーＡの『もし自己の近くに居れば出会い等を希望する他のユーザーの識別データまたは属性データ』と、各ユーザーの現在位置に関する座標データと」に基づいて、
複数のユーザー又は複数の他のユーザー（複数の、前記或るユーザーＡ以外のユーザー）の中から、
「相手が『もし自己の近くに居れば出会い等を希望する他のユーザーの識別データまたは属性データ』に対応している、複数のユーザー」又は「『前記或るユーザーＡの、もし自己の近くに居れば出会い等を希望する他のユーザーの識別データまたは属性データ』に対応している、一人又は複数の他のユーザーＢ」を、
抽出または選択する抽出等手段と、
を備えたことを特徴とする、出会い・交流・連絡または交信の支援のための装置。
【請求項２５】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれが所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
少なくとも「各ユーザー又は或るユーザーＡが所属しているグループ識別データと、各ユーザーの現在位置に関する座標データと」に基づいて、
複数のユーザー又は複数の他のユーザー（複数の、前記或るユーザーＡ以外のユーザー）の中から、
「互いが同一のグループ識別データに対応するグループに所属しており、且つ、互いに相手が自己の現在位置から近くに居る、複数のユーザー」又は「前記或るユーザーＡが所属しているのと同一のグループ識別データに対応するグループに所属しており、且つ、前記或るユーザーＡの現在位置から近くに居る、一人または複数の他のユーザーＢ」を、
抽出または選択する抽出等手段と、
を備えたことを特徴とする、出会い・交流・連絡または交信の支援のための装置。
【請求項２６】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
複数の各ユーザーの又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」」を含む検索条件を、取得、受信、入力または送信する検索条件取得等手段と、
少なくとも「各ユーザー側から又は或るユーザーＡ側からの前記検索条件と、各ユーザーの識別データまたは属性データと、各ユーザーの現在位置に関する座標データと」に基づいて、複数のユーザー又は複数の他のユーザー（複数の、前記或るユーザーＡ以外のユーザー）の中から、「互いに相手が自らの前記検索条件を満たす複数のユーザー」又は「前記或るユーザーＡの検索条件を満たす一人または複数の他のユーザーＢ」を、抽出または検索する抽出等手段と、
備えた、ことを特徴とする、出会い・交流・連絡または交信の支援のための装置。
【請求項２７】
複数のユーザーのそれぞれの識別データまたは属性データを記録しておくためのユーザーデータ記録手段と、
複数のユーザーに関して、それぞれ、「もし自己の近くに居れば自己が出会い、交流、連絡または交信をしたいと希望する一人または複数の他のユーザー」の識別データまたは属性データを、各ユーザーの識別データと対応付けて、入力する、送信する、受信する、または記録しておくための希望他人データ記録手段（前記「自己が出会い等を希望する他のユーザーの属性データ」は、「前記ユーザー自身（自己）の属性データ」によって兼ねられるものであってもよい。また、前記「他のユーザーの識別データまたは属性データ」を記録しておくための手段は、前記ユーザーデータ記録手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時または定期的に、取得、受信、入力または送信する座標データ取得手段と、
少なくとも「各ユーザーの識別データまたは属性データと、各ユーザー又は或るユーザーＡがもし自己の近くに居れば出会い等を希望する『他のユーザー』の識別データまたは属性データと、各ユーザーの現在位置に関する座標データと」に基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データまたは属性データ』に対応しており、且つ、互いに相手が自己の現在位置から近くに居る、複数のユーザー」又は「前記或るユーザーＡがもし自己の近くに居れば出会い等を希望する他のユーザーの識別データまたは属性データに対応しており、且つ、前記或るユーザーＡの現在位置から近くに居る、一人または複数の他のユーザーＢ」を、
抽出または検索する抽出等手段と、
を備えた、ことを特徴とする、出会い・交流・連絡または交信の支援のための装置。
【請求項２８】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ、「自己の若しくはそのユーザー側端末の、及び、もし自己の近くに居れば自己が出会い、交流、連絡または交信をしたいと希望する一人または複数の他のユーザーの若しくはそのユーザー側端末の、識別データ（前記『識別データ』は、氏名、電話番号、電子メールアドレス、所属している特定の団体の名称などの所属しているグループの識別データ、などを含む）」又は「自己の、及び、『もし自己の近くに居れば自己が出会い、交流、連絡または交信をしたいと希望する一人または複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ、出身学校、出身地、出身国、現在の居住地、などを含む）」を、記録しておく若しくはユーザー側から受信するユーザー関連データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は、予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データまたは属性データと、各ユーザーの現在位置に関する座標データと」に基づいて、
「『或るユーザーＡがもし自己の近くに居れば出会い等を希望する他のユーザーの識別データまたは属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人または複数の他のユーザーＢ１’」を、
又は、「互いに相手が『もし自己の近くに居れば出会い等を希望する他のユーザーの識別データまたは属性データ』に対応しており、且つ、互いに『近く』に居る（ここでの『近く』とは、前記「無線基地局の圏内」よりも狭い範囲を示す近く、若しくは、前記複数のユーザーＢ２を予め抽出したときの「近く」よりも狭い範囲を示す近く、を意味する）、複数のユーザーＢ２’」を、
抽出または選択する抽出等手段と、
を備えたことを特徴とする、出会い・交流・連絡または交信の支援のための装置。
【請求項２９】
ユーザーが保持または使用する、通信機能を備えたユーザー側端末、及び／又は、前記ユーザー側端末による通信またはそのユーザーへのサービスのために使用される、センター側の若しくは基地局側の一つ若しくは複数のコンピュータ、に備えられた（又は、により構成される）、出会い、交流、連絡または交信の支援のための装置であって、
複数のユーザーに関して、それぞれ（自己）が所属しているグループを識別するグループ識別データ（特定のサークルや団体の名称などを含む）を、記録しておく若しくはユーザー側から受信するグループ識別データ記録手段と、
複数のユーザーに関して、各現在位置に関する座標データ（ＧＰＳ受信機などを利用して得られるデータであって現在位置に関する座標データを得るための基礎となるデータをも含む）を取得する座標データ取得手段と、
予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または選択する抽出等手段と、
を備えたことを特徴とする、出会い・交流・連絡または交信の支援のための装置。
【請求項３０】
複数のユーザーのそれぞれの識別データまたは属性データを記録しておくためのユーザーデータ記録手段と、
複数のユーザーの各現在位置に関する座標データ（ＧＰＳ受信機などを利用して得られるデータであって現在位置に関する座標データを得るための基礎となるデータをも含む）を取得する座標データ取得手段と、
各ユーザー又は或るユーザーＡの「自己が出会い、交流、連絡または交信をしたいと希望する他のユーザー」に関する検索条件であって、少なくとも「前記『他のユーザー』の識別データまたは属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力または送信する検索条件取得等手段と、
予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は、予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データまたは属性データと、各ユーザーの現在位置に関する座標データと、各ユーザー又は或るユーザーＡの前記検索条件と」に基づいて、
「互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「前記或るユーザーＡの検索条件を満たしており、且つ、前記或るユーザーＡの『近く』に居る（ここでの『近く』とは、前記「無線基地局の圏内」よりも狭い範囲を示す近く、若しくは、前記複数の他のユーザーＡ２を予め抽出したときの「近く」よりも狭い範囲を示す近く、を意味する）、一人または複数の他のユーザーＡ２’」を、
抽出または検索する抽出等手段と、
備えた、ことを特徴とする、出会い・交流・連絡または交信の支援のための装置。